(57)【要約】長尺シートの繰出リール（１）は、シートロール（Ｒ）が載置される円盤状の鍔部材（１０）と、シートロール（Ｒ）の内径部に嵌入される、拡径可能に周方向に分断された略円筒状の副コア部材（２０）と、シートロール（Ｒ）に嵌入された副コア部材（２０）内に嵌着される主コア部材（３０）と、鍔部材（１０）の周縁に取り付けられ、径方向外側に張りだすストッパ部材（４０）とを有する。主コア部材（３０）は板バネ（３３）を有する。副コア部材（２０）がシートロール（Ｒ）の内径部に嵌入され、主コア部材（３０）が副コア部材（２０）内に嵌着された状態で、板バネ（３３）は、副コア部材（２０）の内周面を径方向外側に押圧する。副コア部材（２０）の内周面には、主コア部材（３０）との間の摩擦力を高める滑止ベルト（２２）が取り付けられる。
2012147748.tif 000002
【特許請求の範囲】
【請求項１】
長尺シートを筒状保持体に巻回してなるシートロールを多段に積み重ね、これらのシートロールから長尺シートを連続的に繰り出すための長尺シートの繰出リールであって、
シートロールの筒状保持体内に嵌入されるコア部材と、
前記コア部材の少なくとも一端に着脱自在に取り付けられる円盤状の鍔部材とを備え、
前記コア部材は、シートロールの筒状保持体の内周面を径方向外側に押圧する押圧部材を有していることを特徴とする長尺シートの繰出リール。
【請求項２】
筒状保持体を使用せずに長尺シートを巻回してなる内径部を有するシートロールを多段に積み重ね、これらのシートロールから長尺シートを連続的に繰り出すための長尺シートの繰出リールであって、
シートロールの内径部に嵌入される略円筒状の副コア部材と、
シートロールに嵌入された円筒状の副コア部材内に嵌着される主コア部材と、
前記主コア部材の少なくとも一端に着脱自在に取り付けられる円盤状の鍔部材とを備え、
前記副コア部材は、拡径可能に周方向に分断されており、
前記主コア部材は、シートロールの内径部に嵌入された副コア部材の内周面を径方向外側に押圧する押圧部材を有しており、
前記主コア部材と前記副コア部材とを相互に回り止めする回り止め手段を備えていることを特徴とする長尺シートの繰出リール。
【請求項３】
筒状保持体を使用せずに長尺シートを巻回してなる内径部を有するシートロールを多段に積み重ね、これらのシートロールから長尺シートを連続的に繰り出すための長尺シートの繰出リールであって、
シートロールの内径部に嵌入される略円筒状の副コア部材と、
シートロールに嵌入された円筒状の副コア部材内に嵌着される主コア部材と、
前記主コア部材の少なくとも一端に着脱自在に取り付けられる円盤状の鍔部材とを備え、
前記副コア部材は、拡径可能に周方向に分断されていると共に、装着される主コア部材の外周面を径方向内側に押圧する押圧部材を有しており、
前記主コア部材と前記副コア部材とを相互に回り止めする回り止め手段を備えていることを特徴とする長尺シートの繰出リール。
【発明の詳細な説明】
【技術分野】
【０００１】
この発明は、長尺シートを巻回した状態で多段に積み重ねて使用する長尺シートの繰出リール、特に、上位の長尺シートと隣接する下位の長尺シートとを相互に接続することで、連続的に繰り出して使用する場合に適した長尺シートの繰出リールに関する。
【背景技術】
【０００２】
容器等に装着されるシュリンクラベル等の筒状のラベル等は、多数のラベルが繋がった状態でシート状に折り畳まれた長尺帯状のラベル形成基材を、ラベリング装置において順次切断することで個別のラベルを形成しながら容器等に装着するのが一般的であり、こういった長尺シート状のラベル形成基材は、通常、紙管の周囲にロール状に巻回されたもの（以下、シートロールという。）をラベリング装置の繰出装置にセットし、連続的に繰り出しながら使用される。【０００３】
ところで、ロール状に巻回することのできるラベル形成基材の長さには自ずと限界があるので、ラベリング装置にセットされたシートロールを頻繁に交換しなければならず、ラベリング装置を効率的に稼働させることができない。【０００４】
このため、従来から、シートロールをリールに装着し、そのリールを多段に積み重ねると共に、上位のリールに装着されたシートロールと下位のリールに装着されたシートロールとを相互に接続して、複数のリールからラベル形成基材を連続的に繰り出すことで、シートロールの交換回数を減らして効率的にラベリング装置を稼働させるようにしている。【０００５】
通常、こういったリールは、図１７（ａ）、（ｂ）に示すように、シートロールを嵌め込む円筒状のコア部材５１と、このコア部材５１の一方の端部に着脱自在に取り付けられる鍔部材５２とから構成されているので、上述したように、リール５０を多段に積み重ねて連続的にラベル形成基材を繰り出すようにするためには、紙管を外してシートロールの内側の端部（巻き始め部分）をシートロールから引き出した後、そのままの状態または外した紙管を再度装着してリール５０のコア部材５１にセットし、このようにしてシートロールがセットされた複数のリール５０を、図１８に示すように、積み多段に重ねながら、上位のリール５０にセットされたシートロールＲの外側の端部（巻き終わり部分）または引き出された内側の端部（巻き始め部分）と、隣接する下位のリール５０にセットされたシートロールＲの引き出された内側の端部（巻き始め部分）または外側の端部（巻き終わり部分）とを接続することで、複数のリール５０にセットされたシートロールＲを相互に接続することになる。【０００６】
こういったリール５０は、通常、コア部材５１の外径がシートロールＲの紙管の内径より小さく設定されているので、リール５０のコア部材５１にセットしたシートロールＲをリール５０に対して回転させることが可能であり、下位のリール５０にセットされたシートロールＲのラベル形成基材と接続する際に、リール５０に対してシートロールＲを回転させながら接続位置を調整することができ、ラベル形成基材の接続作業性がよいという利点がある。【０００７】
しかしながら、上述したように、コア部材５１と紙管との間にある程度の遊びがある状態でシートロールＲがセットされたリール５０を多段に積み重ねながら、隣接するシートロールＲ間でラベル形成基材を相互に接続し、上位のリール５０にセットされたシートロールＲからラベル形成基材を順次繰り出す場合、多段に積み重ねた各リール５０は一体的に回転することになるが、ラベル形成基材が繰り出されているシートロールＲは、ラベラー等の下流側装置によってラベル形成基材が引っ張られているので、リール５０に対して相対的に回転し、これに伴って、隣接する下位のリール５０にセットされたシートロールＲに対してラベル形成基材の接続位置にずれが発生し、その接続部分において、ラベル形成基材が引っ張られてねじれてしまうといった問題がある。【０００８】
そこで、これまでは、図１９に示すように、鍔部材５２におけるシートロールＲとの接触面にゴム等の素材よりなる滑止部材５３を貼着することによって、リール５０に対するシートロールＲの摩擦力を高くすることで、リール５０に対するシートロールＲの不要な回転を防止している。
【先行技術文献】
【特許文献】
【０００９】
【特許文献１】特許第３６１１４６２号公報
【発明の概要】
【発明が解決しようとする課題】
【００１０】
ところで、上述したように、鍔部材５２におけるシートロールＲとの接触面にゴム等の素材よりなる滑止部材５３を貼着しておくと、確かに、リール５０に対するシートロールＲの不要な回転を防止することはできるが、ラベル形成基材が繰り出されているシートロールＲが、上位のシートロールＲから下位のシートロールＲに切り替わる際、上位のシートロールＲの巻き終わり部分が、その滑止部材５３に引っ掛かって円滑に繰り出されず、ラベル形成基材の接続部分がねじれてしまうといった新たな問題が発生する場合がある。【００１１】
そこで、この発明の課題は、長尺シートの繰り出し中にシートロールの不要な回転を防止することができ、しかも、長尺シートが繰り出されているシートロールが隣接するシートロールに切り替わる際にも、長尺シートを円滑に繰り出すことができる長尺シートの繰出リールを提供することにある。
【課題を解決するための手段】
【００１２】
上記の課題を解決するため、請求項１に係る発明は、長尺シートを筒状保持体に巻回してなるシートロールを多段に積み重ね、これらのシートロールから長尺シートを連続的に繰り出すための長尺シートの繰出リールであって、シートロールの筒状保持体内に嵌入されるコア部材と、前記コア部材の少なくとも一端に着脱自在に取り付けられる円盤状の鍔部材とを備え、前記コア部材は、シートロールの筒状保持体の内周面を径方向外側に押圧する押圧部材を有していることを特徴とする長尺シートの繰出リールを提供することにある。【００１３】
また、請求項２に係る発明は、筒状保持体を使用せずに長尺シートを巻回してなる内径部を有するシートロールを多段に積み重ね、これらのシートロールから長尺シートを連続的に繰り出すための長尺シートの繰出リールであって、シートロールの内径部に嵌入される略円筒状の副コア部材と、シートロールに嵌入された円筒状の副コア部材内に嵌着される主コア部材と、前記主コア部材の少なくとも一端に着脱自在に取り付けられる円盤状の鍔部材とを備え、前記副コア部材は、拡径可能に周方向に分断されており、前記主コア部材は、シートロールの内径部に嵌入された副コア部材の内周面を径方向外側に押圧する押圧部材を有しており、前記主コア部材と前記副コア部材とを相互に回り止めする回り止め手段を備えていることを特徴としている。【００１４】
また、請求項３に係る発明は、筒状保持体を使用せずに長尺シートを巻回してなる内径部を有するシートロールを多段に積み重ね、これらのシートロールから長尺シートを連続的に繰り出すための長尺シートの繰出リールであって、シートロールの内径部に嵌入される略円筒状の副コア部材と、シートロールに嵌入された円筒状の副コア部材内に嵌着される主コア部材と、前記主コア部材の少なくとも一端に着脱自在に取り付けられる円盤状の鍔部材とを備え、前記副コア部材は、拡径可能に周方向に分断されていると共に、装着される主コア部材の外周面を径方向内側に押圧する押圧部材を有しており、前記主コア部材と前記副コア部材とを相互に回り止めする回り止め手段を備えていることを特徴としている。
【発明の効果】
【００１５】
以上のように、請求項１に係る発明の長尺シートの繰出リールは、鍔部材に着脱自在に取り付けられるコア部材が、シートロールの筒状保持体の内周面を径方向外側に押圧する押圧部材を有しているので、コア部材を取り付けていない円盤状の鍔部材の上にシートロールを載置した状態で、長尺シートの接続作業を行い、接続作業完了後に、シートロールの筒状保持体内にコア部材を嵌入して鍔部材に取り付けると、シートロールの筒状保持体の内周面が押圧部材によって径方向外側に押圧され、シートロールが繰出リールに保持される。【００１６】
以上のように、この長尺シートの繰出リールを使用すると、長尺シートの接続作業時は、シートロールを鍔部材上で回転させることができるので、下位の繰出リールにセットされたシートロールに対する長尺シートの接続作業性がよい。【００１７】
また、鍔部材にコア部材を取り付けた後は、シートロールが繰出リールに一体化されるので、長尺シートの繰出時には、長尺シートが繰り出されているシートロールが繰出リールに対して相対回転することがなく、長尺シートの接続部分が位置ずれして長尺シートにねじれが発生することもない。【００１８】
また、この長尺シートの繰出リールでは、従来の繰出リールとは異なり、鍔部材におけるシートロールとの接触面にゴム等の素材よりなる滑止部材が貼着されていないので、長尺シートが繰り出されているシートロールが、隣接するシートロールに切り替わる際、長尺シートが繰り出されているシートロールの巻き終わり部分が、鍔部材に引っ掛かって長尺シートにねじれが発生することがなく、長尺シートを円滑に繰り出すことができる。【００１９】
また、請求項２に係る発明の長尺シートの繰出リールは、シートロールの内径部に嵌入される、拡径可能に周方向に分断された略円筒状の副コア部材と、シートロールに嵌入された円筒状の副コア部材内に嵌入される主コア部材と、前記主コア部材の少なくとも一端に着脱自在に取り付けられる円盤状の鍔部材とを備えており、主コア部材は、シートロールの内径部に嵌入された副コア部材の内周面を径方向外側に押圧する押圧部材を有しているので、コア部材を取り付けていない円盤状の鍔部材の上に予め紙管等の筒状保持体を有していないシートロールや長尺シートの巻き終わり部分を引き出すために紙管等の筒状保持体を取り外したシートロールを載置した状態で、シートロールの内径部に副コア部材を嵌入し、続いて、長尺シートの接続作業を行い、接続作業完了後に、副コア部材内に主コア部材を嵌入して鍔部材に取り付けると、シートロールの筒状保持体の内周面が、副コア部材を介して、押圧部材によって径方向外側に押圧され、予め紙管等の筒状保持体を有していないシートロールや長尺シートの巻き終わり部分を引き出すために紙管等の筒状保持体を取り外したシートロールについても、繰出リールに確実に保持することができる。【００２０】
以上のように、この長尺シートの繰出リールを使用すると、請求項１に係る発明の長尺シートの繰出リールと同様に、長尺シートの接続作業時は、シートロールを鍔部材上で回転させることができるので、下位の繰出リールにセットされたシートロールに対する長尺シートの接続作業性がよく、鍔部材に主コア部材を取り付けた後は、シートロールが繰出リールに一体化されるので、長尺シートの繰出時には、長尺シートが繰り出されているシートロールが繰出リールに対して相対回転することがなく、長尺シートの接続部分が位置ずれして長尺シートにねじれが発生することもない。【００２１】
特に、この長尺シートの繰出リールは、副コア部材と主コア部材とを相互に回り止めする回り止め手段を備えているので、副コア部材が主コア部材に対して相対回転することがなく、シートロールが主コア部材に確実に周り止めされる。【００２２】
また、請求項３に係る発明の長尺シートの繰出リールは、副コア部材が主コア部材の外周面を径方向内側に押圧する押圧部材を有しており、副コア部材と主コア部材とを相互に回り止めする回り止め手段を備えているので、請求項２に係る発明の長尺シートの繰出リールと同様の方法によって、予め紙管等の筒状保持体を有していないシートロールや長尺シートの巻き終わり部分を引き出すために紙管等の筒状保持体を取り外したシートロールをセットすることができ、請求項２に係る発明の長尺シートの繰出リールと同様の作用効果を得ることができる。
【図面の簡単な説明】
【００２３】
【図１】（ａ）はこの発明に係る繰出リールの一実施形態を示す平面図、（ｂ）は同上の繰出リールを示す側面図である。
【図２】（ａ）は同上の繰出リールを構成している鍔部材を示す平面図、（ｂ）は（ａ）のＸ−Ｘ線に沿った断面図、（ｃ）は同上の鍔部材を構成している連結部を示す底面図である。
【図３】（ａ）は同上の繰出リールを構成している副コア部材を示す平面図、（ｂ）は同上の副コア部材を示す側面図、（ｃ）は（ａ）のＹ−Ｙ線に沿った断面図である。
【図４】（ａ）は同上の繰出リールを構成している主コア部材を示す平面図、（ｂ）は同上の主コア部材を示す側面図、（ｃ）は（ａ）のＺ−Ｚ線に沿った断面図である。
【図５】（ａ）は同上の繰出リールのストッパ部材を構成している本体部を示す平面図、（ｂ）は同上の本体部を示す断面図である。
【図６】（ａ）は同上のストッパ部材を構成している支持板を示す平面図、（ｂ）は同上の支持板を示す断面図である。
【図７】（ａ）は同上のストッパ部材の取付部分を示す拡大平面図、（ｂ）は（ａ）のＶ−Ｖ線に沿った断面図である。
【図８】（ａ）はシートロールがセットされた同上の繰出リールをシートロール装着台車に多段に積み重ねた状態を示す平面図、（ｂ）はその側面図である。
【図９】（ａ）〜（ｃ）は同上の繰出リールを使用したシートロールのセッティング方法を説明するための工程図である。
【図１０】（ａ）、（ｂ）は同上の繰出リールを使用したシートロールのセッティング方法を説明するための工程図である。
【図１１】（ａ）、（ｂ）は同上の繰出リールを使用したシートロールのセッティング方法を説明するための工程図である。
【図１２】同上の繰出リールの使用状態を示す斜視図である。
【図１３】他の実施形態を示す部分拡大断面図である。
【図１４】（ａ）、（ｂ）は紙管等の筒状保持体を取り付けたシートロールのセッティング方法を説明するための工程図である。
【図１５】主コア部材の変形例を示す側面図である。
【図１６】周り止め手段の変形例を示す平面図である。
【図１７】（ａ）は従来の繰出リールを示す平面図、（ｂ）は同上の繰出リールを示す側面図である。
【図１８】シートロールがセットされた従来の繰出リールを多段に積み重ねた状態を示す側面図である。
【図１９】従来の繰出リールの改良例を示す平面図である。
【発明を実施するための形態】
【００２４】
以下、実施の形態について図面を参照して説明する。図１（ａ）、（ｂ）に示すように、この繰出リール１は、長尺シートをロール状に巻回してなる、紙管等の筒状保持体を取り外した状態のシートロールＲを多段に積み重ね、これらのシートロールＲから長尺シートを連続的に繰り出すためのものであって、シートロールＲが載置される円盤状の鍔部材１０と、シートロールＲの内径部に嵌入される、拡径可能に周方向に分断された略円筒状の副コア部材２０と、シートロールＲに嵌入された略円筒状の副コア部材２０内に嵌着される主コア部材３０と、鍔部材１０の周縁に取り付けられた、径方向外側に張りだすストッパ部材４０とから構成されており、主コア部材３０は、円盤状の鍔部材１０に着脱自在に取り付けることができるようになっている。
【００２５】
前記鍔部材１０は、図１（ａ）、（ｂ）及び図２（ａ）〜（ｃ）に示すように、大径で薄肉円盤状の本体部１１と、この本体部１１の下面中心部に固定された、小径で厚肉円盤状の連結部１５とから構成されており、本体部１１及び連結部１５は、合成樹脂によって形成されている。
【００２６】
前記本体部１１には、中心穴１２及び主コア部材３０を取り付けるための３個の貫通取付穴１３が同心円上に等角度で形成されており、上下両面の周縁部には、ストッパ部材４０を周方向に移動自在に支持するための環状溝１４が外周に沿って形成されている。
【００２７】
前記連結部１５には、本体部１１に形成された中心穴１２より僅かに小径の中心穴１６が形成されており、本体部１１の下面に重ね合わされる連結部１５の上面には、本体部１１に形成された３個の貫通取付穴１３に一致するように、主コア部材３０を取り付けるための３個の有底取付穴１７が等角度（１２０度）で形成されていると共に、連結部１５の下面には６０度位置ずれさせた状態で、段積みしたときの下位の繰出リール１のコア部材３０を取り付けるための３個の有底取付穴１８が等角度で形成されている。
【００２８】
前記副コア部材２０は、図１（ａ）、（ｂ）及び図３（ａ）〜（ｃ）に示すように、バネ性を有する薄い金属板によって略円筒状に形成された本体部２１と、この本体部２１の上端部を除いて、内周面に貼着された滑止ベルト２２とから構成されており、本体部２１は、完全な円筒体ではなく、周方向に分断することで拡径することができるようになっている。なお、滑止ベルト２２としては、表面がＮＢＲ（ニトリルゴム）によって形成されたハバジット社製のベルト（ＨＡＴ−８Ｐ）を使用した。
【００２９】
前記主コア部材３０は、金属によって形成されており、図１（ａ）、（ｂ）及び図４（ａ）〜（ｃ）に示すように、副コア部材２０よりも小径の円筒状のベース部材３１と、このベース部材３１の外周面に、周方向に等角度（１２０度）で固着された、上下方向に延びる３本の円筒状の連結部材３２と、ベース部材３１の外周面における隣り合う連結部材３２間にそれぞれ固着された３つの板バネ３３とから構成されている。
【００３０】
前記連結部材３２は、その上端部がベース部材３１の上端縁から上方側に、その下端部がベース部材３１の下端縁から下方側にそれぞれ突出しており、それらの突出部分を、鍔部材１０の有底取付穴１８や貫通取付穴１３及び有底取付穴１７にそれぞれ嵌入することで、主コア部材３０の上端部及び下端部に鍔部材１０をそれぞれ連結することができるようになっている。
【００３１】
前記板バネ３３は、その下端部がベース部材３１の下端部に固定されており、上端側がベース部材３１の径方向外側に張り出すように、斜め上方に立ち上がっている。なお、板バネ３３は、無負荷状態において、その上端部を通る同心円の径が、図４（ａ）に一点鎖線で示す副コア部材２０の径よりも大きくなっており、主コア部材３０を副コア部材２０内に嵌着した状態では、板バネ３３の上端部が径方向内側に弾性変形するので、副コア部材２０には、径方向外側に付勢するバネ力が作用することになる。
【００３２】
前記ストッパ部材４０は、図５〜図７に示すように、複数の繰出リール１を多段に積み重ねた状態で上位の繰出リール１の長尺シートの巻き終わり部分または巻き始め部分と隣接する下位の繰出リール１の長尺シートの巻き始め部分または巻き終わり部分とを相互に接続した場合に、その接続部分を前記鍔部材１０の周方向に掛止する本体部４１と、この本体部４１を鍔部材１０の周縁に沿って移動自在に鍔部材１０に取り付ける支持板４２とから構成されている。
【００３３】
前記本体部４１は、図５（ａ）、（ｂ）に示すように、鍔部材１０の肉厚より僅かに厚い略直角二等辺三角形状の金属板によって形成されており、その上面及び下面には、後述する支持板４２が嵌り込む窪み部４１ａが形成されていると共に、その窪み部４１ａの形成領域には、支持板４２を固定するためにねじ孔４１ｂが上下に貫通した状態で形成されている。
【００３４】
また、この本体部４１は、略直角二等辺三角形の底辺に相当する部分４１ｃが、鍔部材１０の外周面に沿うように、鍔部材１０と同一の曲率半径の円弧状に形成されていると共に、略直角二等辺三角形の斜辺に相当する部分の上下のコーナ部分４１ｄは、長尺シートが接触する部位となるので、接触した長尺シートが損傷を受けないように、丸味をもたせてある。
【００３５】
前記支持板４２は、図６（ａ）、（ｂ）に示すように、先端部が略直角二等辺三角形状に形成された薄肉の金属板によって形成されており、先端の略直角二等辺三角形の部分には、本体部４１のねじ孔４１ｂに対応するように、ねじの挿通孔４２ａが形成されている。従って、図７（ａ）、（ｂ）に示すように、本体部４１の上下の窪み部４１ａに略直角二等辺三角形状の先端部を嵌め込んでねじ止めすることで、本体部４１を上下から挟み込んだ状態で一対の支持板４２が固定される。この状態では、支持板４２の後端部が本体部３１から後方に張り出した状態となっている。
【００３６】
また、この支持板４２の後端部分には、コ字状の切目４２ｂによって舌片４２ｃが形成されており、この舌片４２ｃの先端部が、本体部４１に取り付けられた支持板４２の内面側に僅かに突出するように、舌片４２ｃを屈曲させてある。この舌片４２ｃの屈曲部４２ｄは、図７（ｂ）に示すように、上述した鍔部材１０の表裏両面に形成された環状溝１４に嵌り込むようになっており、環状溝１４に舌片４２ｃの屈曲部４２ｄが嵌り込むことで、本体部４１が、鍔部材１０の径方向に位置決めされると共に、その環状溝１４に沿って、本体部４１が鍔部材１０の外周を移動することができる状態で、鍔部材１０に本体部３１が支持される。
【００３７】
以上のように構成された繰出リール１には、図８（ａ）、（ｂ）に示すように、長尺シートをロール状に巻回してなる、紙管等の筒状保持体を取り外した状態のシートロールＲをセットしながら、シートロール装着台車２の回転基台２ａ上に多段に積み重ねていくことになるが、繰出リール１を段積みする際に、上位の繰出リール１にセットされたシートロールＲから引き出された内側の端部（巻き始め部分）と、隣接する下位の繰出リール１にセットされたシートロールＲの外側の端部（巻き終わり部分）とを順次接続していくことになる。以下、シートロールＲのセッティング方法について、図面を参照しながら説明する。
【００３８】
まず、シートロール装着台車２の回転基台２ａに鍔部材１０を取り付け、図９（ａ）に示すように、鍔部材１０の上面の所定位置に紙管等の筒状保持体を取り外したシートロールＲを載置した後、同図（ｂ）に示すように、副コア部材２０をシートロールＲの内径部に嵌入する。なお、図９（ａ）〜（ｃ）には、シートロール装着台車２の回転基台２ａについては、省略してある。
【００３９】
続いて、主コア部材３０を副コア部材２０内に嵌入し、３本の連結部材３２の下端部を鍔部材１０の貫通取付穴１３及び有底取付穴１７にそれぞれ嵌合させることで、鍔部材１０と主コア部材３０とを連結する。このとき、主コア部材３０の板バネ３３が副コア部材２０の内周面を径方向外側に押圧するので、その押圧力によって副コア部材２０が拡径し、シートロールＲの内周面を押圧することになり、副コア部材２０を介して、シートロールＲが主コア部材３０に保持される。
【００４０】
なお、上述したように、副コア部材２０の内周面には、表面がＮＢＲ（ニトリルゴム）によって形成された滑止ベルト２２が貼着されているので、副コア部材２０が主コア部材３０に対して、周方向に摺動することがなく、シートロールＲが主コア部材３０に確実に周り止めされる。
【００４１】
このようにして最下位のシートロールＲのセットが完了すると、図１０（ａ）に示すように、主コア部材３０の３本の連結部材３２の上端部に、新たな鍔部材１０の３個の有底取付穴１８を嵌合させることによって、最下位の主コア部材３０に新たな鍔部材１０を取り付け、同図（ｂ）に示すように、鍔部材１０の上面の所定位置に紙管等の筒状保持体を取り外したシートロールＲを載置する。なお、シートロールＲを鍔部材１０の上に載置する際は、予め、シートロールＲの巻き始め部分を所定長だけ外側に引き出しておき、その引き出し部分を２段目の鍔部材１０の上面に沿わせて、先端部を鍔部材１０の外側に出しておく必要がある。
【００４２】
続いて、図１１（ａ）に示すように、副コア部材２０をシートロールＲの内径部に嵌入し、この状態で、下位のシートロールＲの巻き終わり部分と、既に引き出してある上位のシートロールＲの巻き始め部分とを接続する。この状態では、シートロールＲが鍔部材１０の上に載置されているだけなので、シートロールＲを周方向に回転させることによって、接続位置の調整を容易に行うことができるので、接続作業性がよい。また、このとき、鍔部材１０に取り付けられているストッパ部材４０を、鍔部材１０の周方向にスライドさせることによって、長尺シートの接続部分から離れた位置に退避させておくと、ストッパ部材１０が障害となることがなく、長尺シートの接続作業を円滑に行うことができる。
【００４３】
このようにして、隣接する上下のシートロールＲ間で長尺シートの接続が完了すると、ストッパ部材４０を鍔部材１０の周方向にスライドさせることにより、長尺シートの接続部分まで移動させ、図１２に示すように、長尺シートの接続部分Ｒｃに所定の緊張状態が付与される程度に、ストッパ部材４０を長尺シートの接続部分Ｒｃに押し当てることで、長尺シートの接続部分Ｒｃをストッパ部材４０に掛止する。
【００４４】
続いて、主コア部材３０を副コア部材２０内に嵌入し、３本の連結部材３２の下端部を２段目の鍔部材１０の貫通取付穴１３及び有底取付穴１７にそれぞれ嵌合させることで、鍔部材１０と主コア部材３０とを連結すると、１段目のシートロールＲと同様に、副コア部材２０を介して、シートロールＲが主コア部材３０に保持される。以下、同様にして、シートロールＲを繰出リール１にセットしながら、段積みしていくことになる。
【００４５】
このようにして、シートロールＲの段積みが完了すると、段積みされた繰出リール群を、図示しない固定手段によって、上方側から回転基台２ａに押さえ付けることで一体化し、最上位の繰出リール１にセットされたシートロールＲから長尺シートＳの繰り出しを開始する。
【００４６】
以上のように、この長尺シートの繰出リール１を使用すると、長尺シートの接続作業時は、シートロールＲを鍔部材１０上で回転させることができるので、下位の繰出リール１にセットされたシートロールＲに対する長尺シートの接続作業性がよく、鍔部材１０に主コア部材３０を取り付けた後は、シートロールＲが繰出リール１に一体化されるので、長尺シートの繰出時には、長尺シートが繰り出されているシートロールＲが繰出リール１に対して相対回転することがなく、長尺シートの接続部分が位置ずれして長尺シートにねじれが発生することもない。
【００４７】
特に、この長尺シートの繰出リール１は、副コア部材２０の内周面に、板バネ３３との間の摩擦力を高める滑止ベルト２２が貼着されているので、副コア部材２０が主コア部材３０に対して周方向に滑りにくく、繰出リール１に対するシートロールＲの周り止め機能を確実に発揮させることができる。
【００４８】
また、この長尺シートの繰出リール１では、従来の繰出リールとは異なり、鍔部材１０の上面にゴム等の素材よりなる滑止部材が貼着されていないので、長尺シートが繰り出されているシートロールＲが、上位のシートロールＲから下位のシートロールＲに切り替わる際、上位のシートロールＲの巻き終わり部分が、鍔部材に引っ掛かって長尺シートにねじれが発生することがなく、長尺シートを常時円滑に繰り出すことができる。
【００４９】
なお、上述した実施形態では、主コア部材３０のベース部材３１に板バネ３３を固定しているが、これに限定されるものではなく、例えば、図１３に示す繰出リール１Ａのように、副コア部材２０Ａの本体部２１の内周面に、径方向内側に張り出す板バネ２３を固定してもよい。この場合、板バネ２３は、その先端側が下方側を向くように、上端部を副コア部材２０Ａに固定する必要があり、滑止ベルト３４を主コア部材３０Ａのベース部材３１の外周面に貼着することになる。なお、板バネ２３は、シートロールＲの内周面を均一に押圧するために、副コア部材２０Ａの本体部２１の高さ方向の略中間部に固定しておくことが好ましい。
【００５０】
また、上述した各実施形態では、滑止ベルト２２を副コア部材２０の内周面に、滑止ベルト３４を主コア部材３０のベース部材３１の外周面にそれぞれ貼着しているが、これに限定されるものではなく、板バネ３３、２３を滑止部材によって被覆する構成を採用することも可能である。
【００５１】
また、上述した各実施形態では、紙管等の筒状保持体を取り外した状態のシートロールＲを段積みする場合に使用する繰出リール１、１Ａについて説明したが、例えば、紙管等の筒状保持体を一旦取り外して、シートロールＲの巻き始め部分を引き出した後、再度、紙管等の筒状保持体を取り付けたシートロールＲを段積みする場合は、副コア部材２０を使用する必要がなく、図１４（ｂ）に示すように、鍔部材１０と主コア部材３０とからなる繰出リール１Ｂを使用することによって、繰出リール１Ｂに対するシートロールＲの周り止めを確実に行うことができる。特に、板バネ３３を滑止部材によって被覆しておくと、繰出リール１Ｂに対するシートロールの周り止め機能がさらに向上する。
【００５２】
この場合のシートロールＲのセットは、同図（ａ）に示すように、予め、巻き始め部分を引き出した状態（最下位のシートロールについては巻き始め部分を引き出しておく必要はない）で、紙管等の筒状保持体ＰＨが取り付けられているシートロールＲを鍔部材１０上の所定位置に載置した後、下位のシートロールＲの巻き終わり部分と、既に引き出してある上位のシートロールＲの巻き始め部分とを接続した後、同図（ｂ）に示すように、シートロールＲの筒状保持体ＰＨ内に主コア部材３０を嵌入し、３本の連結部材３２の下端部を２段目の鍔部材１０の貫通取付穴１３及び有底取付穴１７にそれぞれ嵌合させることで、鍔部材１０と主コア部材３０とを連結すればよい。
【００５３】
また、上述した各実施形態では、紙管等の筒状保持体を取り外したシートロールＲの内径部に嵌入した副コア部材２０や紙管等の筒状保持体が取り付けられているシートロールＲにおける筒状保持体の内周面を径方向外側に押圧する押圧手段として板バネ３３、２３を採用しているが、これに限定されるものではなく、例えば、図１５に示すように、主コア部材３０Ｂを構成しているベース部材３１の外周面に、下端側に向かって径方向外側への張出量が徐々に小さくなった複数の楔状部材３３ａを押圧手段として連設したり、逆に、副コア部材の内周面に、上端側に向かって径方向内側への張出量が徐々に小さくなった複数の楔状部材を押圧手段として連設しておくことも可能であり、主コア部材を副コア部材２０や筒状保持体内に嵌入することによって拡開するチャック機構等の種々の押圧手段を採用することができることはいうまでもない。
【００５４】
また、上述した各実施形態では、副コア部材２０、２０Ａと主コア部材３０、３０Ａとを相互に回り止めする回り止め手段として、滑止ベルト２２を副コア部材２０の内周面に、滑止ベルト３４を主コア部材３０のベース部材３１の外周面にそれぞれ貼着したり、板バネ３３、２３を滑止部材によって被覆したりする構成を採用しているが、これに限定されるものではなく、例えば、図１６に示すように、副コア部材２０Ｂの内周面に主コア部材３０の連結部材３２が嵌合する嵌合部材２２ａを連設することによって回り止め手段を構成することも可能であり、副コア部材２０、２０Ａと主コア部材３０、３０Ａとを相互に連結する面ファスナや吸盤、磁石等を回り止め手段として採用してもよい。
【産業上の利用可能性】
【００５５】
本発明は長尺帯状のラベル形成基材等のような長尺シートをロール状に巻回したシートロールを段積みして連続的に繰り出す場合に利用することができる。
【符号の説明】
【００５６】
１、１Ａ、１Ｂ  繰出リール
２  シートロール装着台車
２ａ  回転基台
１０  鍔部材
１１  本体部
１２  中心穴
１３  貫通取付穴
１４  環状溝
１５  連結部
１６  中心穴
１７  有底取付穴
１８  有底取付穴
２０、２０Ａ、２０Ｂ  副コア部材
２１  本体部
２２  滑止ベルト
２２ａ  嵌合部材
２３  板バネ
３０、３０Ａ、３０Ｂ  主コア部材
３１  ベース部材
３２  連結部材
３３  板バネ
３３ａ  楔状部材
３４  滑止ベルト
４０  ストッパ部材
４１  本体部
４２  支持板
４２ｃ  舌片
４２ｄ  屈曲部
Ｒ  シートロール
ＰＨ  筒状保持体
【図１】
2012147748.tif 000003
【図２】
2012147748.tif 000004
【図３】
2012147748.tif 000005
【図４】
2012147748.tif 000006
【図５】
2012147748.tif 000007
【図６】
2012147748.tif 000008
【図７】
2012147748.tif 000009
【図８】
2012147748.tif 000010
【図９】
2012147748.tif 000011
【図１０】
2012147748.tif 000012
【図１１】
2012147748.tif 000013
【図１２】
2012147748.tif 000014
【図１３】
2012147748.tif 000015
【図１４】
2012147748.tif 000016
【図１５】
2012147748.tif 000017
【図１６】
2012147748.tif 000018
【図１７】
2012147748.tif 000019
【図１８】
2012147748.tif 000020
【図１９】
2012147748.tif 000021
【国際調査報告】
2012147748.tif 000022
2012147748.tif 000023
2012147748.tif 000024
2012147748.tif 000025